(57)【要約】【課題】噴霧用配管からの水抜き動作を速やかに完了することができる農業用ハウスの給水装置を提案する。【解決手段】農業用ハウスの給水装置１は、噴霧用配管２、複数の噴霧ノズル２５、噴霧用開閉弁２８及び二つの空気導入弁３を備える。噴霧用配管２には、ポンプ８１からの水が供給される。複数の噴霧ノズル２５と噴霧用開閉弁２８は、噴霧用配管２に設けられる。二つの空気導入弁３は、所定圧力以下になったときに開弁して噴霧用配管２内に空気を導入する。噴霧用配管２は、ポンプ８１からの水が供給される縦配管２１と、縦配管２１の上部に連通しかつ複数の噴霧ノズル２５に接続される横配管２２を含む。二つの空気導入弁３の間に、複数の噴霧ノズル２５の少なくとも一部が位置する。【選択図】図２
2020115763.tif 000002
【特許請求の範囲】
【請求項１】
ポンプからの水が供給される噴霧用配管と、
前記噴霧用配管に接続され、水平方向に互いに距離をあけて位置する複数の噴霧ノズルと、
前記ポンプと前記複数の噴霧ノズルの間に介在するように、前記噴霧用配管に設けられた噴霧用開閉弁と、
前記噴霧用配管のうち、前記噴霧用開閉弁よりも前記ポンプから離れた箇所に接続され、前記噴霧用配管内の水圧が所定圧力を超えるときに閉弁し、前記所定圧力以下となったときに開弁して前記噴霧用配管内に空気を導入する二つの空気導入弁と、を備え、
前記噴霧用配管は、前記ポンプからの水が供給される縦配管と、前記縦配管の上部に連通しかつ複数の噴霧ノズルが接続される横配管を含み、
前記二つの空気導入弁の間に、前記複数の噴霧ノズルの少なくとも一部が位置する
農業用ハウスの給水装置。
【請求項２】
前記二つの空気導入弁の間に、前記複数の噴霧ノズルの全部が位置する
請求項１の農業用ハウスの給水装置。
【請求項３】
前記横配管は、前記縦配管から離れた箇所ほど上側に位置するような傾斜を有する
請求項１又は２の農業用ハウスの給水装置。
【請求項４】
前記縦配管の下部に連通し、土壌に灌水するために用いられる灌水用配管と、
前記灌水用配管に設けられた灌水用開閉弁と、を更に備える
請求項１から３のいずれか一項の農業用ハウスの給水装置。
【請求項５】
前記噴霧用開閉弁と前記灌水用開閉弁の開閉を制御する制御装置を、更に備え、
前記制御装置は、前記噴霧用開閉弁を開弁させた後に、前記灌水用開閉弁を開弁させることで、水抜き動作を実行させる
請求項４の農業用ハウスの給水装置。
【請求項６】
前記噴霧用開閉弁を制御して水抜き動作を実行させる制御装置を、更に備え、
前記制御装置は、水抜き動作の指示を入力することのできる入力部を有する
請求項１から５のいずれか一項の農業用ハウスの給水装置。
【請求項７】
前記噴霧用開閉弁を制御して水抜き動作を実行させる制御装置を、更に備え、
前記制御装置は、外気温度が所定温度よりも低いときに水抜き動作を実行させる
請求項１から５のいずれか一項の農業用ハウスの給水装置。
【発明の詳細な説明】
【技術分野】
【０００１】
本発明は、農業用ハウスの給水装置に関する。
【背景技術】
【０００２】
従来、農業用ハウスが知られている（例えば特許文献１参照）。農業用ハウスは、土壌を覆うように設置されるハウス本体と、ハウス本体内において水の噴霧等を行うための給水装置を備える。給水装置は、ポンプから水を供給される噴霧用配管と、噴霧用配管に接続された複数の噴霧ノズルを備える。
【先行技術文献】
【特許文献】
【０００３】
【特許文献１】特開２０１４−５０５７０号公報
【発明の概要】
【発明が解決しようとする課題】
【０００４】
上記した農業用ハウスの給水装置においては、噴霧用配管に凍結防止の対策を施すことが求められる。これに対して、凍結防止用のヒーターを設置することが効果的であるが、ヒーターの設置はコストの増大を招くため、配管からの水抜きで対応することが一般的である。
【０００５】
しかし、農業用ハウスの給水装置において、噴霧用配管は非常に長い（例えば５０ｍ程度）ことが多い。そのため、水抜き動作に時間が掛かった場合には、最終的に凍結破壊を生じるおそれがあった。
【０００６】
本発明は、噴霧用配管からの水抜き動作を速やかに完了することができる農業用ハウスの給水装置を提案することを、目的とする。
【課題を解決するための手段】
【０００７】
本発明の一態様に係る農業用ハウスの給水装置は、ポンプからの水が供給される噴霧用配管と、前記噴霧用配管に接続され、水平方向に互いに距離をあけて位置する複数の噴霧ノズルと、前記ポンプと前記複数の噴霧ノズルの間に介在するように、前記噴霧用配管に設けられた噴霧用開閉弁と、前記噴霧用配管のうち、前記噴霧用開閉弁よりも前記ポンプから離れた箇所に接続され、前記噴霧用配管内の水圧が所定圧力を超えるときに閉弁し、前記所定圧力以下となったときに開弁して前記噴霧用配管内に空気を導入する二つの空気導入弁と、を備える。前記噴霧用配管は、前記ポンプからの水が供給される縦配管と、前記縦配管の上部に連通しかつ複数の噴霧ノズルが接続される横配管を含む。前記二つの空気導入弁の間に、前記複数の噴霧ノズルの少なくとも一部が位置する。
【発明の効果】
【０００８】
本発明は、噴霧用配管からの水抜き動作を速やかに完了することができるという効果を奏する。
【図面の簡単な説明】
【０００９】
【図１】図１は、一実施形態の農業用ハウスが備える給水装置の構成を示す概略図である。
【図２】図２は、同上の給水装置の水抜き動作の途中段階を示す概略図である。
【図３】図３は、同上の給水装置の水抜き動作の次の途中段階を示す概略図である。
【図４】図４は、同上の給水装置の比較例における水抜き動作の途中段階を示す概略図である。
【図５】図５は、同上の給水装置の第一変形例における水抜き動作の途中段階を示す概略図である。
【図６】図６は、同上の給水装置の第二変形例における水抜き動作の途中段階を示す概略図である。
【図７】図７は、同上の給水装置の第三変形例における水抜き動作の途中段階を示す概略図である。
【図８】図８は、同上の給水装置の第四変形例における水抜き動作の途中段階を示す概略図である。
【発明を実施するための形態】
【００１０】
（一実施形態）
一実施形態の農業用ハウスは、図２等に示すように、植物の育成に適した環境を整えることを目的としたハウス本体９を備える。ハウス本体９は、いわゆるビニールハウスで構成されている。
【００１１】
ハウス本体９は、土壌Ｓを覆うように設置される。ハウス本体９の内部において、土壌Ｓに植物の種子が播かれたり苗が植えられたりした後、植物が育成される。ハウス本体９内で育成される植物に水を供給するために、ハウス本体９内に水を供給する給水装置１が設けられている。
【００１２】
一実施形態の農業用ハウスにおいて、給水装置１は、ポンプ８１と、ポンプ８１から水が供給される給水流路８２と、給水流路８２に接続される噴霧用配管２と、噴霧用配管２に連通する灌水用配管４を備える。
【００１３】
ポンプ８１が給水流路８２に供給する水は、例えば貯水タンクに貯められた水である。給水流路８２に供給された水は、噴霧用配管２と、これよりも下方に位置する灌水用配管４に対して、選択的に供給される。噴霧用配管２を通じてハウス本体９内で水を供給する形態と、灌水用配管４を通じてハウス本体９内で水を供給する形態は、互いに異なる。
【００１４】
噴霧用配管２を通じてハウス本体９内に水を供給するための構成について、以下に詳述する。
【００１５】
噴霧用配管２は、上下に長く形成された縦配管２１と、水平方向に長く形成された横配管２２を含む。給水流路８２は、縦配管２１の下部に接続されている。横配管２２は、縦配管２１の上部に接続されている。横配管２２は、給水流路８２よりも上方に位置する。
【００１６】
ポンプ８１から給水流路８２を通じて噴霧用配管２の縦配管２１に供給された水は、その水圧によって縦配管２１を通じて上方に持ち上げられた後に、横配管２２を通じて水平方向に供給される。
【００１７】
縦配管２１には、噴霧用開閉弁２８が設けられている。噴霧用開閉弁２８は、縦配管２１の通水を禁止又は許可することができる電気的駆動弁であり、適宜の電磁弁又は電動弁で構成される。
【００１８】
横配管２２には、複数の噴霧ノズル２５が接続されている。複数の噴霧ノズル２５は、横配管２２の軸方向（水平方向）に互いに距離をあけて位置する。各噴霧ノズル２５は、横配管２２に一定以上の水圧を伴って水が供給されると、ハウス本体９内に水を噴霧するように構成されている。各噴霧ノズル２５から噴霧された水は、比較的長時間をかけて土壌Ｓに落下する。噴霧ノズル２５の形状によっては、噴霧した水粒子を微細化して空気中に滞留させることも可能である。
【００１９】
噴霧用開閉弁２８は、ポンプ８１と複数の噴霧ノズル２５との間に介在している。噴霧用開閉弁２８の開閉によって、複数の噴霧ノズル２５への通水を禁止又は許可することができる。
【００２０】
更に、噴霧用配管２には、噴霧用配管２の水抜き動作を効率的に行うために二つの空気導入弁３が接続されている。各空気導入弁３は、噴霧用配管２内の水圧が所定圧力（例えば０．４ＭＰ）を超えたときに閉弁し、所定圧力以下となったときには開弁するように構成されている。
【００２１】
二つの空気導入弁３は、噴霧用配管２のうち、噴霧用開閉弁２８が設けられている箇所よりもポンプ８１及び給水流路８２から離れた箇所に接続されている。噴霧用配管２において、二つの空気導入弁３の間に、複数の噴霧ノズル２５の全てが位置している。
【００２２】
以下においては、二つの空気導入弁３のうち、ポンプ８１に近い側のものを第一空気導入弁３ａと称し、ポンプ８１から離れた側のものを第二空気導入弁３ｂと称する。
【００２３】
第一空気導入弁３ａは、上下に延びる縦配管２１の上端部に接続されている。縦配管２１の上端部は、縦配管２１のうちポンプ８１から最も離れた箇所である。横配管２２は、縦配管２１のうち、第一空気導入弁３ａが接続される箇所よりも下側の箇所に連通している。
【００２４】
第二空気導入弁３ｂは、横配管２２のうちポンプ８１から最も離れた箇所に接続されている。第一空気導入弁３ａと第二空気導入弁３ｂは、ともに噴霧用開閉弁２８よりも上方に位置し、かつ複数の噴霧ノズル２５よりも上方に位置する。
【００２５】
したがって、噴霧用開閉弁２８を開弁させ、ポンプ８１を駆動させて噴霧用配管２に水を送り込むと、送り込まれた水は噴霧用配管２（縦配管２１及び横配管２２）の全体を満たし、このときの水圧によって、第一空気導入弁３ａと第二空気導入弁３ｂは閉弁する。この状態で、ポンプ８１を継続的に駆動させることで、図１に示すように、複数の噴霧ノズル２５から継続的に水が噴霧される。
【００２６】
なお、ポンプ８１と噴霧用開閉弁２８の駆動は、ハウス本体９内に設置された制御装置５によって制御される。
【００２７】
制御装置５は、給水装置１が備える各機器を制御することができる装置であり、例えば、プログラムに従って動作するいわゆるマイクロコンピュータを備える。制御装置５は、汎用のコンピュータでもよいし、専用の装置として構成されてもよい。
【００２８】
制御装置５は、水抜き動作の指示を入力することのできる入力部５５を有する。入力部５５は、指示入力できるものであればよく、押しボタン、タッチパネル、音声認識器等の適宜の機器が採用可能である。具体的な水抜き動作については後述する。
【００２９】
次に、灌水用配管４を通じてハウス本体９内に水を供給するための構成について詳述する。
【００３０】
灌水用配管４は、土壌に灌水するために用いられる。灌水用配管４は、灌水用開閉弁４８が設けられた配管４１と、配管４１に接続された灌水用チューブ４２を備える。灌水用開閉弁４８は、配管４１の通水を禁止又は許可することができる電気的駆動弁であり、適宜の電磁弁又は電動弁で構成される。
【００３１】
配管４１は、噴霧用配管２の縦配管２１の下部に接続されている。配管４１の流路中に介在する灌水用開閉弁４８は、縦配管２１の流路中に介在する噴霧用開閉弁２８よりも、下方に位置する。
【００３２】
灌水用チューブ４２は、灌水用開閉弁４８よりも下方に位置する。灌水用チューブ４２は、水平方向に長く形成されたチューブであり、その周壁には多数の微細な灌水孔４２５が形成されている。灌水用チューブ４２は、一定以上の水圧を伴って水が供給されると、多数の灌水孔４２５を通して水がシャワー状又は噴水状に噴出するように構成されている。灌水用チューブ４２から噴出した水は、土壌Ｓ又は植物の上に速やかに落下する。
【００３３】
したがって、灌水用開閉弁４８を開弁させ、ポンプ８１を駆動させて灌水用配管４に水を送り込むと、送り込まれた水は配管４１を経て灌水用チューブ４２を満たし、多数の灌水孔４２５から噴出される。灌水用開閉弁４８の駆動は、制御装置５によって制御される。
【００３４】
次に、給水装置１が実行する水抜き動作について詳述する。
【００３５】
使用者が入力部５５を通じて水抜き動作の指示を入力すると、制御装置５は、ポンプ８１を停止状態に維持し、かつ噴霧用開閉弁２８及び灌水用開閉弁４８を開弁させることで、水抜き動作を実行させる。
【００３６】
このとき、縦配管２１の側にある水と、横配管２２の側にある水のうち、縦配管２１の側の水には自重により落下する力が大きく作用するため、第一空気導入弁３ａを通じて縦配管２１内に空気を引き込みながら、縦配管２１側の水がまず落下する（図３参照）。縦配管２１を落下した水は、灌水用チューブ４２の多数の灌水孔４２５を通じて外部に排出されていく。
【００３７】
横配管２２の側の水は、縦配管２１の側の水が落下を初めた後に、第二空気導入弁３ｂを通じて横配管２２に空気を引き込みながら、縦配管２１の側に順次流下していく（図４参照）。
【００３８】
つまり、一実施形態の給水装置１では、噴霧用配管２に残存していた水が、第一空気導入弁３ａを通じて導入された空気を介して二つに分断され、分断された水のうち縦配管２１の側の水が、まず速やかに排出される。次いで、分断された水のうち横配管２２の側の水が、縦配管２１の側の水及び空気の流れに追従するように、縦配管２１及び灌水用配管４を通じて排出されていく。
【００３９】
そのため、一実施形態の給水装置１によれば、噴霧用配管２において二箇所から空気を引き込みながら、水抜き動作を速やかに完了することができ、凍結破壊が生じることを効果的に抑制することができる。
【００４０】
なお、制御装置５が水抜き動作を実行させるタイミングは、使用者が入力部５５に指示を入力したタイミングに限定されず、例えば外気温度が所定温度よりも低くなったタイミングでもよい。この場合、ハウス本体９に設置された外気温度センサ９６を利用し、外気温度センサ９６で検知された外気温度が所定温度よりも低いと制御装置５が判定したときに、上記の水抜き動作を実行させる。所定温度は、周囲の環境等に基づいて適宜に設定可能である。また、制御装置５をインターネット等で外部と接続し、天気予報の予想最低気温を用いて判定するようにしてもよい。
【００４１】
制御装置５が水抜き動作のために噴霧用開閉弁２８と灌水用開閉弁４８を開弁させるタイミングは同時でもよいし、互いに異なってもよい。
【００４２】
制御装置５が、噴霧用開閉弁２８を開弁させた後に灌水用開閉弁４８を開弁させる場合には、噴霧用開閉弁２８よりも上方に残存する水と、噴霧用開閉弁２８と灌水用開閉弁４８の間に残存する水を、連続的な流れで一気に流下させることができる。
【００４３】
図４には、一実施形態の給水装置１の比較例を示している。なお、比較例の構成のうち、一実施形態の給水装置１の構成と同様の構成については、同一符号を付している。
【００４４】
比較例では、噴霧用配管２に空気導入弁３が一つだけ接続されている。空気導入弁３は、横配管２２のうちポンプ８１から最も離れた箇所に接続されている。
【００４５】
比較例においても、制御装置５が、ポンプ８１を停止状態に維持し、かつ噴霧用開閉弁２８と灌水用開閉弁４８を開弁させることで、空気導入弁３から噴霧用配管２に空気を導入しながら、水抜き動作を実行することができる。噴霧用配管２に残存する水は、管路を満たす一かたまりの水の流れとして、徐々に流下していく。
【００４６】
しかし、農業用ハウスの噴霧用配管２は非常に長く、噴霧用配管２内での圧力損失が大きいことが通常である。そのため、比較例のように噴霧用配管２に残存する水の全体を一かたまりに抜こうとすると、完了までに時間が掛かる場合がある。これに対して、一実施形態の給水装置１では、上記したように噴霧用配管２に残存する水を、噴霧用配管２に空気を導入して分断しながら速やかに排出することが可能である。
【００４７】
（変形例）
一実施形態の給水装置１の各種の変形例について、図５から図８に基づいて説明する。なお、変形例の構成のうち、一実施形態の給水装置１の上記した構成と同様の構成については、同一符号を付して詳しい説明を省略する。
【００４８】
図５には、一実施形態の給水装置１の第一変形例を概略的に示している。第一変形例において、灌水用配管４の配管４１の途中には、排水管６１が連通接続されている。排水管６１には、排水用開閉弁６８が設けられている。排水用開閉弁６８は、排水管６１の通水を禁止又は許可することができる電気的駆動弁であり、適宜の電磁弁又は電動弁で構成される。
【００４９】
制御装置５は、噴霧用開閉弁２８、灌水用開閉弁４８及び排水用開閉弁６８に対して電気的に接続されている。制御装置５は、水抜き動作を制御するモードとして、通常モードと急速モードを有する。
【００５０】
使用者は、例えば入力部５５を通じてモード選択を行う。通常モードが選択された場合には、制御装置５は、ポンプ８１を停止状態に維持し、かつ噴霧用開閉弁２８及び灌水用開閉弁４８を開弁させる。このとき、排水用開閉弁６８は閉弁を維持する。これにより、灌水用チューブ４２の多数の灌水孔４２５を通じて水抜きが実行される。
【００５１】
急速モードが選択された場合には、制御装置５は、ポンプ８１を停止状態に維持し、かつ噴霧用開閉弁２８、灌水用開閉弁４８及び排水用開閉弁６８を開弁させる。これにより、灌水用チューブ４２の多数の灌水孔４２５と、排水管６１を通じて、より急速な水抜きが実行される。
【００５２】
通常モードと急速モードの切り替えは、使用者の入力に基づいて行わることに限定されず、例えば外気温度に基づいて自動的に行われてもよい。この場合、外気温度センサ９６で検知された外気温度が所定温度よりも低いと制御装置５が判定したときに、急速モードを選択するように構成してもよいし、カレンダー情報に基づいて冬季にあると判定したときに急速モードを選択するように構成してもよい。
【００５３】
図６には、一実施形態の給水装置１の第二変形例を概略的に示している。第二変形例において、給水装置１は灌水用配管４を備えておらず、その代わりに、排水管７１と排水用開閉弁７８を備えている。第二変形例において、排水管７１は、噴霧用配管２の縦配管２１の下部に接続されている。排水管７１の流路中に介在する排水用開閉弁７８は、縦配管２１の流路中に介在する噴霧用開閉弁２８よりも、下方に位置する。
【００５４】
制御装置５は、噴霧用開閉弁２８及び排水用開閉弁７８に対して電気的に接続されている。使用者が水抜き動作の指示を入力すると、制御装置５は、ポンプ８１を停止状態に維持し、かつ噴霧用開閉弁２８及び排水用開閉弁７８を開弁させることで、水抜き動作を実行させる。
【００５５】
第二変形例においても、噴霧用開閉弁２８及び排水用開閉弁７８を開弁させると、第一空気導入弁３ａを通じて縦配管２１内に空気を引き込みながら、縦配管２１側の水がまず落下し、排水管７１を通じて外部に排出されていく。横配管２２の側の水は、縦配管２１の側の水が落下を初めた後に、第二空気導入弁３ｂを通じて横配管２２内に空気を引き込みながら、縦配管２１の側に順次排出されていく。
【００５６】
図７には、一実施形態の給水装置１の第三変形例を概略的に示している。第三変形例においては、第一空気導入弁３ａが、縦配管２１ではなく横配管２２に接続されている。横配管２２のうち第一空気導入弁３ａが接続される箇所は、複数の噴霧ノズル２５のうち最もポンプ８１に近い噴霧ノズル２５が接続される箇所と、この噴霧ノズル２５に次いでポンプ８１に近い噴霧ノズル２５が接続される箇所との間に、位置する。
【００５７】
つまり、第三変形例において、第一空気導入弁３ａと第二空気導入弁３ｂの間には、複数の噴霧ノズル２５の全てが位置するのではなく、複数の噴霧ノズル２５の一部が位置している。
【００５８】
第三変形例においても、噴霧用開閉弁２８及び灌水用開閉弁４８を開弁させると、噴霧用配管２に残存していた水が、第一空気導入弁３ａを通じて導入された空気を介して二つに分断され、分断された水のうち縦配管２１の側の水が、速やかに縦配管２１を流下する。次いで、分断された水のうち横配管２２の側の水が、縦配管２１及び灌水用配管４を通じて排出されていく。
【００５９】
なお、横配管２２のうち第一空気導入弁３ａが接続される箇所は、これに限定されない。例えば、横配管２２のうち、ポンプ８１に対して二番目に近い噴霧ノズル２５が接続される箇所と、ポンプ８１に対して三番目に近い噴霧ノズル２５が接続される箇所との間に、第一空気導入弁３ａが接続されてもよいし、更に別の箇所に接続されてもよい。
【００６０】
また、空気導入弁３の数は二つに限定されず、追加の空気導入弁３が噴霧用配管２に接続されてもよい。例えば、第三変形例において、追加の空気導入弁３が、縦配管２１に接続されてもよいし、横配管２２の別の箇所に接続されてもよい。
【００６１】
図８には、一実施形態の給水装置１の第四変形例を概略的に示している。第四変形例において、横配管２２は、縦配管２１から離れた箇所ほど上側に位置するような傾斜を有する。一例として、横配管２２の傾斜率は０．４／１００であり、横配管２２の長さが５０ｍである場合、横配管２２の両端間の高低差ｄは０．２ｍである。横配管２２の傾斜は、全長にわたって均一な傾斜でなくてもよく、全体として傾斜していればよい。
【００６２】
第四変形例においても、噴霧用開閉弁２８及び灌水用開閉弁４８を開弁させると、噴霧用配管２に残存していた水が、第一空気導入弁３ａを通じて導入された空気を介して二つに分断され、分断された水のうち縦配管２１の側の水が、速やかに流下する。次いで、分断された水のうち横配管２２の側の水が、縦配管２１に流れていく。ここで、横配管２２は傾斜しているので、横配管２２の側の水の排出がより速やかに完了する。
【００６３】
以上、一実施形態の給水装置１の各種の変形例について説明したが、上記した各変形例において、同様の作用効果を奏する範囲内で適宜の設計変更を行うことや、上記した各変形例の構成を組み合わせて適用することは、当然に可能である。
【００６４】
（態様）
以上、一実施形態及びこれの各種変形例に基づいて説明したように、第１の態様に係る農業用ハウスの給水装置（１）は、以下の構成を備える。第１の態様に係る農業用ハウスの給水装置（１）は、噴霧用配管（２）、複数の噴霧ノズル（２５）、噴霧用開閉弁（２８）、及び二つの空気導入弁（３）を備える。噴霧用配管（２）には、ポンプ（８１）からの水が供給される。複数の噴霧ノズル（２５）は、噴霧用配管（２）に接続され、水平方向に互いに距離をあけて位置する。噴霧用開閉弁（２８）は、ポンプ（８１）と複数の噴霧ノズル（２５）の間に介在するように、噴霧用配管（２）に設けられる。二つの空気導入弁（３）は、噴霧用配管（２）のうち、噴霧用開閉弁（２８）よりもポンプ（８１）から離れた箇所に接続され、噴霧用配管（２）内の水圧が所定圧力を超えるときに閉弁し、所定圧力以下になったときに開弁して噴霧用配管（２）に空気を導入する。噴霧用配管（２）は、ポンプ（８１）からの水が供給される縦配管（２１）と、縦配管（２１）の上部に連通しかつ複数の噴霧ノズル（２５）が接続される横配管（２２）を含む。二つの空気導入弁（３）の間に、複数の噴霧ノズル（２５）の少なくとも一部が位置する。
【００６５】
第１の態様に係る農業用ハウスの給水装置（１）によれば、ポンプ（８１）を停止した状態で噴霧用開閉弁（２８）を開弁させ、二つの空気導入弁（３）から噴霧用配管（２）に空気を導入しながら水抜きを行うことができる。このとき、噴霧用配管（２）に残存していた水は、噴霧用配管（２）に導入された空気によって分断される。このうち縦配管（２１）側の水は、自重により速やかに流下して排出され、横配管（２２）側の水は、これに追従するように縦配管（２１）を通じて排出される。したがって、第１の態様に係る農業用ハウスの給水装置（１）によれば、噴霧用配管（２）が非常に長くて大きな圧力損失が発生する場合でも、水抜き動作を速やかに完了することができる。
【００６６】
第２の態様に係る農業用ハウスの給水装置（１）は、第１の態様において、以下の構成を更に備える。第２の態様に係る農業用ハウスの給水装置（１）において、二つの空気導入弁（３）の間に、複数の噴霧ノズル（２５）の全部が位置する。
【００６７】
第２の態様に係る農業用ハウスの給水装置（１）によれば、空気により分断された水のうち縦配管（２１）側の水を、自重により速やかに流下させることがでる。
【００６８】
第３の態様に係る農業用ハウスの給水装置（１）は、第１又は第２の態様において、以下の構成を更に備える。第３の態様に係る農業用ハウスの給水装置（１）において、横配管（２２）は、縦配管（２１）から離れた箇所ほど上側に位置するような傾斜を有する。
【００６９】
第３の態様に係る農業用ハウスの給水装置（１）によれば、空気により分断された水のうち横配管（２２）側の水を、横配管（２２）の傾斜によって速やかに排出することができる。
【００７０】
第４の態様に係る農業用ハウスの給水装置は、第１から第３のいずれか一つの態様において、以下の構成を更に備える。第４の態様に係る農業用ハウスの給水装置（１）は、灌水用配管（４）と灌水用開閉弁（４８）を更に備える。灌水用配管（４）は、縦配管（２１）の下部に連通し、土壌（Ｓ）に灌水するために用いられる。灌水用開閉弁（４８）は、灌水用配管（４）に設けられる。
【００７１】
第４の態様に係る農業用ハウスの給水装置（１）によれば、ポンプ（８１）を停止した状態で噴霧用開閉弁（２８）と灌水用開閉弁（４８）を開弁させ、二つの空気導入弁（３）から噴霧用配管（２）に空気を導入しながら水抜きを行うことができる。このとき、噴霧用配管（２）に残存していた水は、噴霧用配管（２）に導入された空気によって分断される。このうち縦配管（２１）側の水は、自重により速やかに流下し、灌水用配管（４）を通じて排出される。横配管（２２）側の水は、これに追従するように縦配管（２１）及び灌水用配管（４）を通じて排出される。噴霧用配管（２）に残存していた水を灌水に用いることができるため、貯水タンクの水の有効利用を図ることができる。
【００７２】
第５の態様に係る農業用ハウスの給水装置（１）は、第４の態様において、以下の構成を更に備える。第５の態様に係る農業用ハウスの給水装置（１）は、噴霧用開閉弁（２８）と灌水用開閉弁（４８）の開閉を制御する制御装置（５）を、更に備える。制御装置（５）は、噴霧用開閉弁（２８）を開弁させた後に、灌水用開閉弁（４８）を開弁させることで、水抜き動作を実行させる。
【００７３】
第５の態様に係る農業用ハウスの給水装置（１）によれば、噴霧用開閉弁（２８）と灌水用開閉弁（４８）の開閉を制御することによって、噴霧用配管（２）に残存する水を、灌水用配管（４）を通じて自動的にかつ速やかに排出することができる。
【００７４】
第６の態様に係る農業用ハウスの給水装置は、第１から第５のいずれか一つの態様において、以下の構成を更に備える。第６の態様に係る農業用ハウスの給水装置（１）は、噴霧用開閉弁（２８）を制御して水抜き動作を実行させる制御装置（５）を、更に備える。制御装置（５）は、水抜き動作の指示を入力することのできる入力部（５５）を有する。
【００７５】
第６の態様に係る農業用ハウスの給水装置（１）によれば、使用者の判断に基づいて、噴霧用配管（２）の水抜きを速やかに完了させることができる。
【００７６】
第７の態様に係る農業用ハウスの給水装置（１）は、第１から第５のいずれか一つの態様において、以下の構成を更に備える。第７の態様に係る農業用ハウスの給水装置（１）は、噴霧用開閉弁（２８）を制御して水抜き動作を実行させる制御装置（５）を、更に備える。制御装置（５）は、外気温度が所定温度よりも低いときに水抜き動作を実行させる。
【００７７】
第７の態様に係る農業用ハウスの給水装置（１）によれば、外気温度に基づいて、噴霧用配管（２）の水抜きを自動的にかつ速やかに完了させることができる。
【符号の説明】
【００７８】
１  給水装置
２  噴霧用配管
２１  縦配管
２２  横配管
２５  噴霧ノズル
２８  噴霧用開閉弁
３  空気導入弁
４  灌水用配管
４８  灌水用開閉弁
５  制御装置
５５  入力部
６１  排水管
６８  排水用開閉弁
８１  ポンプ
Ｓ  土壌
【図１】
2020115763.tif 000003
【図２】
2020115763.tif 000004
【図３】
2020115763.tif 000005
【図４】
2020115763.tif 000006
【図５】
2020115763.tif 000007
【図６】
2020115763.tif 000008
【図７】
2020115763.tif 000009
【図８】
2020115763.tif 000010